(57)【要約】【課題】プリセット番号によって指定した放送の視聴をすみやかに行える「放送受信機及び中継局サーチ方法」を提供する。【解決手段】各プリセット番号について、プリセット番号と等しいRemote_Control_Key_IDを含む周波数チャネルのうち、受信状態が最も良好な周波数チャネルをプリセットテーブルに、２番目に受信状態が良好な周波数チャネルをサブプリセットテーブルに登録し(ａ)、プリセット番号の指定によってプリセットテーブルに登録されている周波数チャネルの受信指示を受け付ける。受信中の周波数チャネルの受信状態が不良化したならば、受信中の周波数チャネルと同放送局の同放送の他の周波数チャネルを探索し、探索した他の周波数チャネルがサブプリセットテーブルに登録されていれば、サブプリセットテーブルとプリセットテーブルを入れ替える（ｂ）。【選択図】図５
2015220521.tif 000002
【特許請求の範囲】
【請求項１】
各々周波数チャネルで放送される、登録すべきプリセット番号の指定を伴う放送を受信する放送受信機であって、
複数のプリセット番号の各々に対して周波数チャネルを登録したプリセットテーブルと、
複数のプリセット番号の各々に対して周波数チャネルを登録したサブプリセットテーブルと、
ユーザから指定されたプリセット番号に対して前記プリセットテーブルに登録されている周波数チャネルに、受信する周波数チャネルを切り替えるプリセット受信制御手段と、
周波数チャネルをスキャンし、各プリセット番号について、当該プリセット番号の指定を伴う放送が行われている受信可能な周波数チャネルのうちの、最も受信状態の良い周波数チャネルを、前記プリセットテーブルに当該プリセット番号に対する周波数チャネルとして登録し、２番目に受信状態の良い周波数チャネルを、前記サブプリセットテーブルに当該プリセット番号に対する周波数チャネルとして登録するスキャン処理を行うスキャン手段と、
受信中の周波数チャネルに受信不良が生じた場合に、当該受信不良が生じた周波数チャネルである不良周波数チャネルと同じ放送局の放送が行われている受信状態が良好な周波数チャネルである代替チャネルを探索し、当該代替チャネルの探索が成功した場合に、当該探索された代替チャネルに、受信する周波数チャネルを切り替える中継局サーチ手段とを有し、
前記中継局サーチ手段は、
前記代替チャネルとして探索された周波数チャネルが、前記サブプリセットテーブルに登録されていない場合に、前記プリセットテーブルの前記不良周波数チャネルが登録されているプリセット番号に対して登録する周波数チャネルを、前記代替チャネルとして探索された周波数チャネルに更新し、
前記代替チャネルとして探索された周波数チャネルが、前記サブプリセットテーブルに登録されている場合に、前記サブプリセットテーブルで前記プリセットテーブルを置換することを特徴とする放送受信機。
【請求項２】
請求項１記載の放送受信機であって、
前記中継局サーチ手段は、前記代替チャネルとして探索された周波数チャネルが、前記サブプリセットテーブルに登録されている場合に、前記サブプリセットテーブルで前記プリセットテーブルを置換すると共に、当該置換前の前記プリセットテーブルで前記サブプリセットテーブルを置換することを特徴とする放送受信機。
【請求項３】
請求項１または２記載の放送受信機であって、
前記中継局サーチ手段は、前記代替チャネルとして、不良周波数チャネルと同じ放送局の放送が行われている周波数チャネルのうちの、最も受信状態が良好な周波数チャネルを探索することを特徴とする放送受信機。
【請求項４】
請求項１、２または３記載の放送受信機であって、
現在位置の都道府県境の越境を検出する越境検出手段を有し、
前記スキャン手段は、前記越境検出手段が都道府県境の越境を検出したときに、前記スキャン処理を実行することを特徴とする放送受信機。
【請求項５】
請求項１、２、３または４記載の放送受信機であって、
当該放送受信機は自動車に搭載された放送受信機であることを特徴とする放送受信機。
【請求項６】
請求項１、２、３、４または５記載の放送受信機であって、
前記放送は地上デジタルテレビ放送であることを特徴とする放送受信機。
【請求項７】
各々周波数チャネルで放送される、登録すべきプリセット番号の指定を伴う放送を受信する放送受信機において、受信中の周波数チャネルに受信不良が生じた場合に、当該受信不良が生じた周波数チャネルである不良周波数チャネルと同じ放送局の放送が行われている受信状態が良好な周波数チャネルである代替チャネルに、受信する周波数チャネルを切り替える中継局サーチ方法であって、
当該放送受信機が、周波数チャネルをスキャンし、各プリセット番号について、当該プリセット番号の指定を伴う放送が行われている受信可能な周波数チャネルのうちの、最も受信状態の良い周波数チャネルを、プリセットテーブルに当該プリセット番号に対する周波数チャネルとして登録し、２番目に受信状態の良い周波数チャネルを、サブプリセットテーブルに当該プリセット番号に対する周波数チャネルとして登録するスキャンステップと、
当該放送受信機が、ユーザから指定されたプリセット番号に対して前記プリセットテーブルに登録されている周波数チャネルに、受信する周波数チャネルを切り替えるプリセット受信制御ステップと、
当該放送受信機が、受信中の周波数チャネルに受信不良が生じた場合に、前記代替チャネルを探索し、当該代替チャネルの探索が成功した場合に、当該探索された代替チャネルに、受信する周波数チャネルを切り替える中継局サーチステップとを有し、
前記中継局サーチステップにおいて、
前記代替チャネルとして探索された周波数チャネルが、前記サブプリセットテーブルに登録されていない場合に、前記プリセットテーブルの前記不良周波数チャネルが登録されているプリセット番号に対して登録する周波数チャネルを、前記代替チャネルとして探索された周波数チャネルに更新し、
前記代替チャネルとして探索された周波数チャネルが、前記サブプリセットテーブルに登録されている場合に、前記サブプリセットテーブルで前記プリセットテーブルを置換することを特徴とする中継局サーチ方法。
【発明の詳細な説明】
【技術分野】
【０００１】
本発明は、本発明は、放送受信機において、受信中の周波数チャネルの受信状態が悪化したときに、受信する周波数チャネルを切り替える技術に関するものである。
【背景技術】
【０００２】
放送受信機において、受信中の周波数チャネルの受信状態が悪化したときに、受信する周波数チャネルを切り替える技術としては、１から１２までのプリセット番号(キー番号)に受信可能な周波数チャネルを割り当てて、プリセット番号の指定により受信する周波数チャネルの選択を受け付ける放送受信機において、あるプリセット番号の周波数チャネルの受信中に受信状態が悪化したときに、受信中の周波数チャネルで放送している放送局と同じ放送を行っている他の中継局の周波数チャネルをサーチする中継局サーチを行い、中継局サーチで発見した周波数チャネルに、受信する周波数チャネルを切り替えると共に、当該プリセット番号に割り当てる周波数チャネルを発見した周波数チャネルに更新する技術が知られている（たとえば、特許文献１）。
【先行技術文献】
【特許文献】
【０００３】
【特許文献１】特開２０１４-０２２９１０号公報
【発明の概要】
【発明が解決しようとする課題】
【０００４】
さて、中継局は複数の周波数チャネルの放送を行っていることが多いため、移動体に搭載された放送受信機において、あるプリセット番号に割り当てられている周波数チャネルの受信状態が悪化した場合には、他のプリセット番号に割り当てられている他の周波数チャネルの受信状態も悪化している蓋然性が大きい。
【０００５】
そして、このような場合には、あるプリセット番号の周波数チャネルの受信中の受信状態の悪化に応答して最初に中継局サーチを行って発見した他の中継局の周波数チャネルに受信する周波数チャネルを切り替えた後には、ユーザが最初の中継局サーチ以降に指定していない他のプリセット番号を指定して受信する周波数チャネルを切り替える度に、切り替え先の周波数チャネルを受信できずに、切り替え先の周波数チャネルについて再度中継局サーチを行う必要が生じることとなる。そして、このために、ユーザがプリセット番号によって指定した放送をすみやかに視聴できなくなる。
【０００６】
そこで、本発明は、ユーザがプリセット番号によって指定した放送の視聴を、よりすみやかに行えるようにすることを課題とする。
【課題を解決するための手段】
【０００７】
前記課題達成のために、本発明は、各々周波数チャネルで放送される、登録すべきプリセット番号の指定を伴う放送を受信する放送受信機に、複数のプリセット番号の各々に対して周波数チャネルを登録したプリセットテーブルと、複数のプリセット番号の各々に対して周波数チャネルを登録したサブプリセットテーブルと、ユーザから指定されたプリセット番号に対して前記プリセットテーブルに登録されている周波数チャネルに、受信する周波数チャネルを切り替えるプリセット受信制御手段と、周波数チャネルをスキャンし、各プリセット番号について、当該プリセット番号の指定を伴う放送が行われている受信可能な周波数チャネルのうちの、最も受信状態の良い周波数チャネルを、前記プリセットテーブルに当該プリセット番号に対する周波数チャネルとして登録し、２番目に受信状態の良い周波数チャネルを、前記サブプリセットテーブルに当該プリセット番号に対する周波数チャネルとして登録するスキャン手段と、受信中の周波数チャネルに受信不良が生じた場合に、当該受信不良が生じた周波数チャネルである不良周波数チャネルと同じ放送局の放送が行われている受信状態が良好な周波数チャネルである代替チャネルを探索し、当該代替チャネルの探索が成功した場合に、当該探索された代替チャネルに、受信する周波数チャネルを切り替える中継局サーチ手段とを備えたものである。ただし、前記中継局サーチ手段は、前記代替チャネルとして探索された周波数チャネルが、前記サブプリセットテーブルに登録されていない場合に、前記プリセットテーブルの前記不良周波数チャネルが登録されているプリセット番号に対して登録する周波数チャネルを、前記代替チャネルとして探索された周波数チャネルに更新し、前記代替チャネルとして探索された周波数チャネルが、前記サブプリセットテーブルに登録されている場合に、前記サブプリセットテーブルで前記プリセットテーブルを置換するものである。
【０００８】
ここで、このような放送受信機は、前記中継局サーチ手段において、前記代替チャネルとして探索された周波数チャネルが、前記サブプリセットテーブルに登録されている場合に、前記サブプリセットテーブルで前記プリセットテーブルを置換すると共に、当該置換前の前記プリセットテーブルで前記サブプリセットテーブルを置換するように構成してもよい。
【０００９】
また、以上の放送受信機において、前記中継局サーチ手段は、前記代替チャネルとして、不良周波数チャネルと同じ放送局の放送が行われている周波数チャネルのうちの、最も受信状態が良好な周波数チャネルを探索するようにしてもよい。
【００１０】
また、前記放送受信機に、現在位置の都道府県境の越境を検出する越境検出手段を設け、前記スキャン手段において、前記越境検出手段が都道府県境の越境を検出したときに、前記スキャン処理を実行するようにしてもよい。
【００１１】
ここで、放送受信機は、たとえば、自動車に搭載された放送受信機である。また、前記放送は、たとえば、地上デジタルテレビ放送である。
本発明に係る放送受信機によれば、スキャン手段によって、各プリセット番号について最も受信状態の良い周波数チャネルを前記プリセットテーブルに登録し、２番目に受信状態の良い周波数チャネルをサブプリセットテーブルに登録する。また、プリセット受信制御手段によって、プリセットテーブルを用いて、ユーザのプリセット番号の指定に応じた周波数チャネルの切り替えを行う。
【００１２】
そして、あるプリセット番号の周波数チャネルの受信中の受信状態の悪化に応答して、中継局サーチ手段は、中継局の周波数チャネルの探索と、探索した周波数チャネルに受信する周波数チャネルの切り替えを行うと共に、探索した周波数チャネルがサブセットテーブルに登録されていれば、プリセットテーブルをサブセットテーブルで置換する。
【００１３】
ここで、スキャン手段によって、プリセットテーブルに登録された各周波数チャネルは同じ中継局から放送される周波数チャネルであり、サブプリセットテーブルに登録された各周波数チャネルは他の同じ中継局から放送される周波数チャネルである蓋然性が大きい。
【００１４】
したがって、中継局サーチ手段によって、プリセットテーブルをサブセットテーブルで置換した後に、ユーザがプリセット番号を指定して受信する周波数チャネルを切り替えたときには、受信状態が良好な周波数チャネルとして中継局サーチ手段が最後に探索した周波数チャネルと同じ中継局が放送する、最後に探索した周波数チャネルと同様に受信状態が良好であることが期待できる周波数チャネルが既にプリセットテーブルに登録されている蓋然性が大きい。
そして、この場合には、新たな中継局サーチが行われることなく、ユーザは、すみやかに指定したプリセット番号の視聴を開始することができるようになる。
【発明の効果】
【００１５】
以上のように、本発明によれば、ユーザは、プリセット番号によって指定した放送の視聴を、よりすみやかに行えるようになる。
【図面の簡単な説明】
【００１６】
【図１】本発明の実施形態に係る放送受信機の構成を示すブロック図である。
【図２】本発明の実施形態に係るプリセットテーブルとサブプリセットテーブルとを示す図である。
【図３】本発明の実施形態に係るスキャン処理を示すフローチャートである。
【図４】本発明の実施形態に係る中継局サーチ処理を示すフローチャートである。
【図５】本発明の実施形態に係るスキャン処理と中継局サーチ処理の処理例を示す図である。
【発明を実施するための形態】
【００１７】
以下、本発明の実施形態について自動車に搭載される車載システムへの適用を例にとり説明する。
図１に、本実施形態に係る車載システムの構成を示す。
図示するように、車載システムは、地上波デジタルＴＶ放送を受信する放送受信機１、ナビゲーション装置２、制御装置３、入力装置４、出力処理部５、アンプやスピーカなどを備えた音声出力装置６、表示装置７を備えている。
【００１８】
そして、放送受信機１は、アンテナ１１、フロントエンド部１２、復調部１３、ビデオデコーダ１４、チューナ制御部１５、メモリ１６を備えている。
このような構成において、放送受信機１は、地上波デジタルＴＶ放送を受信し、放送で受信した映像信号や音声信号を出力処理部５に出力する。
ナビゲーション装置２は、地図データを保持しており、現在位置の算出や、設定された目的地までのルート探索や、現在位置やルートを地図上に表したナビゲーション画面を出力処理部５に出力したり、ルートに沿った進行を案内する案内音声を出力処理部５に出力する処理などを行う。
【００１９】
出力処理部５は、制御装置３の制御に従って、放送受信機１から入力する映像信号を表示装置７に表示したり、放送受信機１から入力する音声信号を音声出力装置６に出力したり、ナビゲーション装置２から入力するナビゲーション画面を表示装置７に表示したり、ナビゲーション装置２から入力する案内音声を音声出力装置６に出力する処理を行う。
【００２０】
そして、制御装置３は、各種ユーザ操作受付用のメニュー画面を出力処理部５を介して表示装置７に表示したり、入力装置４で受け付けたユーザ操作に応じて放送受信機１やナビゲーション装置２や出力処理部５の動作を制御する処理などを行う。
【００２１】
次に、放送受信機１において、フロントエンド部１２は、チューナ制御部１５から受信チャネルとして設定された周波数チャネルを受信し、受信信号を復調部１３に出力する。復調部１３は、入力する受信信号に対してOFDM復調やビタビ復号などの復調／復号処理を行ってTS（Transport Stream）を復元し、ビデオデコーダ１４に送ると共に、NIT(Network Information Table)やBIT(Broadcaster Infomation Table)などの制御情報をチューナ制御部１５に送る。
【００２２】
ビデオデコーダ１４は、TSの、チューナ制御部１５から指定されたPID(Packet Idetification)のTSP（Transport Stream Packet）をデコードする。そして、デコードした映像信号と音声信号とを出力処理部５に出力する。
【００２３】
また、復調部１３は、フロントエンド部１２の受信電界強度などを参照して、現在の受信チャネルの受信信号のC/N（Carrier to Noise Ratio;搬送波電力対雑音電力比）や、BER（Bit Error Rate;ビット誤り率）や、受信信号に対するOFDM、(Orthogonal Frequency Division Multiplexing)の同期確立の有無を受信信号の受信状態として測定しチューナ制御部１５に通知する。
【００２４】
次に、放送受信機１のメモリ１６に格納するプリセットテーブルと、サブプリセットテーブルについて説明する。
図２ａに示すようにプリセットテーブルには、１から１２までのプリセット番号が登録された１２のエントリを有し、各エントリは、各々一つの周波数チャネルに対応づけられており、各エントリには、対応する周波数チャネルの情報が登録されている。すなわち、各エントリには、対応する周波数チャネルで放送を行っている放送局の放送局名（NID：Network_identification）、対応する周波数チャネルで放送を行っている放送局の系列（番組供給系列/ネットワーク）を表す系列ID（Affiliation ID）、対応する周波数チャネル、対応する周波数チャネルで行われている放送と同じ放送を行っている各周波数チャネル（すなわち、対応する周波数チャネルで放送を行っている放送局の放送の各中継局の周波数チャネル）を表す中継局周波数チャネルが登録される。
【００２５】
次に、図２ｂに示すように、サブプリセットテーブルは、図２ａのプリセットテーブルと同じ構成を備えており、プリセットテーブルと同様に１から１２までのプリセット番号が登録された１２のエントリを有し、各エントリには、それぞれ一つの周波数チャネルに対応し対応する周波数チャネルの情報が登録される。
【００２６】
さて、図１に戻り、制御装置３は、１から１２までのプリセット番号の指定を入力装置４で受け付けると、チューナ制御部１５に指定されたプリセット番号を通知し、プリセット番号の通知を受けたチューナ制御部１５は、プリセットテーブルの通知されたプリセット番号のエントリに登録されている周波数チャネルに、フロントエンド部１２に設定する受信チャネルを変更することにより、放送受信機１で受信出力する周波数チャネルを、ユーザから指定されたプリセット番号に対してプリセットテーブルに登録されている周波数チャネルに切り替える。
【００２７】
次に、放送受信機１のチューナ制御部１５が、プリセットテーブルとサブプリセットテーブルの各エントリへの情報登録のために行うスキャン処理について説明する。
ここで、このスキャン処理は、車載システムが初めて起動されたときに行われるほか、ナビゲーション装置２が算出している現在位置が都道府県境を越えたときに行う。
すなわち、車載システムの制御装置３は、車載システムが初めて起動されたときに、放送受信機１のチューナ制御部１５にスキャン処理を行わせる。また、車載システムのナビゲーション装置２は、算出している現在位置が都道府県境を越えたときに越境を制御装置３に通知し、越境を通知された制御装置３は、放送受信機１のチューナ制御部１５にスキャン処理を行わせる。
【００２８】
さて、図３に放送受信機１のチューナ制御部１５が行うスキャン処理の手順を示す。
図示するように、スキャン処理においてチューナ制御部１５は、まず、フロントエンド部１２に各周波数チャネルをスキャンさせて、受信可能な周波数チャネルを探索し、探索した周波数チャネルで送信される制御情報と、探索した周波数チャネルについて復調部１３から通知される受信状態とを取得する（ステップ３０２）。
【００２９】
そして、１から１２までの各プリセット番号ｉについて（ステップ３０４、３１４、３１６）、以下の処理を行う。
すなわち、まず、探索されたプリセット番号ｉと等しいRemote_Control_Key_IDを含む周波数チャネルの数が１以上であるかどうかを調べ（ステップ３０６）、１以上でない、すなわち、０であれば、このプリセット番号ｉについての処理を終了し、未処理のプリセット番号があれば（ステップ３１４）、次のプリセット番号についての処理に進み（ステップ３１６）、未処理のプリセット番号が無ければスキャン処理を終了する。
【００３０】
なお、Remote_Control_Key_IDは、探索された周波数チャネルのTS中のNIT(Network Information Table)に含まれている。
一方、探索されたプリセット番号ｉと等しいRemote_Control_Key_IDを含む周波数チャネルの数が１以上である場合には（ステップ３０６）、探索されたプリセット番号ｉと等しいRemote_Control_Key_IDを含む周波数チャネルのうちの、受信状態が最も良好な放送を行っている周波数チャネルの制御情報を用いて、プリセットテーブルのプリセット番号ｉのエントリに、最も良好な放送を行っている周波数チャネルの情報を登録する（ステップ３０８）。
【００３１】
ここで、プリセットテーブルのプリセット番号ｉのエントリに登録する情報は、上述のように、放送局の放送局名（NID：Network_identification）、系列ID（Affiliation ID）、周波数チャネル、中継局周波数チャネルであり、NIDや中継局周波数チャネルは、探索した周波数チャネルのTS中のNIT(Network Information Table)に、系列IDはTS中のBITに含まれる。
【００３２】
そして、次に、探索されたプリセット番号ｉと等しいRemote_Control_Key_IDを含む周波数チャネルの数が２以上であるかどうかを調べ（ステップ３１０）、２以上でなければ、このプリセット番号ｉについての処理を終了し、未処理のプリセット番号があれば（ステップ３１４）、次のプリセット番号についての処理に進み（ステップ３１６）、未処理のプリセット番号が無ければスキャン処理を終了する。
【００３３】
一方、探索されたプリセット番号ｉと等しいRemote_Control_Key_IDを含む周波数チャネルの数が２以上であれば（ステップ３１０）、探索されたプリセット番号ｉと等しいRemote_Control_Key_IDを含む周波数チャネルのうちの、受信状態が２番目の良好な放送を行っている周波数チャネルの制御情報を用いて、サブプリセットテーブルのプリセット番号ｉのエントリに、２番目の良好な放送を行っている周波数チャネルの情報を登録する（ステップ３１２）。ここで、サブプリセットテーブルのプリセット番号ｉのエントリに登録する情報は、上述のように、放送局の放送局名（NID：Network_identification）、系列ID（Affiliation ID）、周波数チャネル、中継局周波数チャネルである。
【００３４】
そして、このプリセット番号ｉについての処理を終了し、未処理のプリセット番号があれば（ステップ３１４）、次のプリセット番号についての処理に進み（ステップ３１６）、未処理のプリセット番号が無ければスキャン処理を終了する。
【００３５】
以上、放送受信機１のチューナ制御部１５が行うスキャン処理について説明した。
次に、放送受信機１のチューナ制御部１５が行う中継局サーチ処理について説明する。
ここで、この中継局サーチ処理は、放送受信機１の放送の受信、出力と並行して行われる処理である。
図４に、この中継局サーチ処理の手順を示す。
図示するように、放送受信機１のチューナ制御部１５は中継局サーチ処理において、現在受信している周波数チャネルのＴ秒（たとえば、５秒）以上の受信不良の発生（ステップ４０２）を監視する。ここで、現在受信している周波数チャネルの受信不良は、復調部１３から通知される受信状態に基づいて判定する。
【００３６】
そして、受信不良が発生したならば（ステップ４０２）、出力処理部５への映像信号や音声信号の出力を停止する（ステップ４０４）。
そして、現在受信している周波数チャネルのプリセット番号をプリセット番号ｊとして、プリセットテーブルのプリセット番号ｊのエントリに中継局周波数チャネルとして登録されている各周波数チャネルの受信状態を順次、調査する（ステップ４０６）。
【００３７】
なお、各周波数チャネルの受信状態は、フロントエンド部１２に、その周波数チャネルの受信を行わせ、これにより復調部１３から通知される、その周波数状態の受信状態を取得することにより行う。
【００３８】
そして、良好な受信状態で受信可能な周波数チャネルが、プリセットテーブルのプリセット番号ｊのエントリに中継局周波数チャネルとして登録されている各周波数チャネルのうちに、存在したかどうかを調べ（ステップ４０８）、存在しない場合には、出力処理部５への映像信号や音声信号の出力を再開し（ステップ４１８）、中継局サーチ処理を終了する。ただし、良好な受信状態で受信可能な周波数チャネルが存在しなかった場合には、上述したスキャン処理や、系列局サーチ処理を起動して中継局サーチ処理を終了するようにしてもよい。
【００３９】
なお、系列局サーチ処理は、プリセットテーブルのプリセット番号ｊのエントリに登録されている系列IDと同じ系列IDの周波数チャネルを探索し、探索した周波数チャネルの情報に、プリセットテーブルのプリセット番号ｊのエントリの情報を更新し、探索した周波数チャネルにフロントエンド部１２で受信する周波数チャネルを変更し、出力処理部５への映像信号や音声信号の出力を再開する処理である。
【００４０】
一方、プリセット番号ｊのエントリに中継局周波数チャネルとして登録されている各周波数チャネルのうちに、良好な受信状態で受信可能な周波数チャネルが存在した場合には（ステップ４０８）、存在した周波数チャネルのうちで、最も受信状態が良好な周波数チャネルｋが、サブプリセットテーブルのプリセット番号ｊのエントリに周波数チャネルとして登録されているかどうかを調べる（ステップ４１０）。
【００４１】
そして、周波数チャネルｋが、サブプリセットテーブルのプリセット番号ｊのエントリに周波数チャネルとして登録されていなければ（ステップ４１０）、プリセットテーブルのプリセット番号ｊのエントリの情報を、周波数チャネルｋで受信した制御情報を用いて、周波数チャネルｋの情報に更新し（ステップ４１２）、フロントエンド部１２に設定する受信チャネルとして、プリセットテーブルのプリセット番号ｊのエントリに登録されている周波数チャネルを設定し（ステップ４１６）、出力処理部５への映像信号や音声信号の出力を再開し（ステップ４１８）、中継局サーチ処理を終了する。
【００４２】
一方、周波数チャネルｋが、サブプリセットテーブルのプリセット番号ｊのエントリに周波数チャネルとして登録されていれば（ステップ４１０）、プリセットテーブルとサブプリセットテーブルを入れ替え（ステップ４１４）、フロントエンド部１２に設定する受信チャネルとして、プリセットテーブルのプリセット番号ｊのエントリに登録されている周波数チャネルを設定し（ステップ４１６）、出力処理部５への映像信号や音声信号の出力を再開し（ステップ４１８）、中継局サーチ処理を終了する。
【００４３】
すなわち、これまでのサブプリセットテーブルを以降のプリセットテーブルに設定し、これまでのプリセットテーブルを以降のサブプリセットテーブルに設定した上で（ステップ４１４）、フロントエンド部１２で受信する周波数チャネルをプリセットテーブルのプリセット番号ｊのエントリに登録されている周波数チャネルに変更し（ステップ４１６）、出力処理部５への映像信号や音声信号の出力を再開し（ステップ４１８）、中継局サーチ処理を終了する。
【００４４】
以上、放送受信機１のチューナ制御部１５が行う中継局サーチ処理について説明した。
以下、以上のようなスキャン処理と中継局サーチ処理の処理例について説明する。
いま、図５ａに示すように、中継局Ａが、プリセット番号ＰＮ（Remote_Control_Key_ID）が１で周波数チャネルＣｈが２０chの放送と、プリセット番号ＰＮが２で周波数チャネルＣｈが１３chの放送とを送信しており、中継局Ｂが、プリセット番号ＰＮが１で周波数チャネルがＣｈ４２chの放送と、プリセット番号ＰＮが２で周波数チャネルＣｈが２５chの放送とを送信しているものとする。そして、中継局Ａのプリセット番号ＰＮが１で周波数チャネルＣｈが２０chの放送と、中継局Ｂのプリセット番号ＰＮが１で周波数チャネルＣｈが４２chの放送とは同じ放送局の同じ放送であり、中継局Ａのプリセット番号ＰＮが２で周波数チャネルＣｈが１３chの放送と、中継局Ｂのプリセット番号ＰＮが２で周波数チャネルＣｈが２５chの放送とは同じ放送局の同じ放送であるものとする。
【００４５】
そして、車載システムを搭載した自動車が、県境Ｘを通過し、中継局Ａと中継局Ｂとの双方の送信電波を受信できる位置５０１に到達した時点で、県境Ｘを越境したことによりスキャン処理が実行されると、比較的中継局Ａの電波を良好に受信できる場合、プリセットテーブルのプリセット番号ＰＮ=１に対しては周波数チャネルＣｈとして２０ch、中継局周波数チャネルＲＣｈとして４２ｃｈが登録され、プリセットテーブルのプリセット番号ＰＮ=２に対しては周波数チャネルＣｈとして１３ch、中継局周波数チャネルＲＣｈとして２５ｃｈが登録される。また、サブプリセットテーブルのプリセット番号ＰＮ=１に対しては周波数チャネルＣｈとして４２ch、中局周波数チャネルＲＣｈとして２０ｃｈが登録され、サブプリセットテーブルのプリセット番号ＰＮ=２に対しては周波数チャネルＣｈとして２５ch、中継局周波数チャネルＲＣｈとして１３ｃｈが登録される。
【００４６】
そして、その後、ユーザが中継局Ａから放送されているプリセット番号ＰＮ=２、周波数チャネルＣｈ=１３chの放送を視聴している状態で、図５ｂに示すように、自動車が中継局Ｂに近づく方向に移動し、中継局Ａの送信電波を良好に受信できくなる位置５０２まで到達すると、中継局サーチ処理が実行され、中継局Ｂのプリセット番号ＰＮ=２、周波数チャネルＣｈ=２５chの放送が探索される。そして、探索されたプリセット番号ＰＮ=２、周波数チャネルＣｈ=２５chは、サブプリセットテーブルに登録されているので、プリセットテーブルとプリセットテーブルとが入れ替えられる。また、受信出力する周波数チャネルが、入れ替え後のプリセットテーブルのプリセット番号ＰＮ=２に対して登録されている周波数チャネルＣｈ=２５chに切り替えられる。
【００４７】
そして、この後、ユーザがプリセット番号ＰＮ=１を指定すると、受信出力する周波数チャネルが、入れ替え後のプリセットテーブルのプリセット番号ＰＮ=１に対して登録されている周波数チャネルＣｈ=４２chに切り替えられる。ここで、この周波数チャネルＣｈ=４２chは中継局Ｂから放送されているので、放送受信機１において良好に受信することができる。
【００４８】
また、この後、もし、ユーザが、中継局Ｂから放送されているプリセット番号ＰＮ=１、周波数チャネルＣｈ=４２chを視聴している状態で、自動車が中継局Ａに近づく方向に移動し、中継局Ｂの送信電波を良好に受信できくなる位置５０３まで到達すると、再度、中継局サーチ処理が実行され、中継局ＡのＰＮ=１、周波数チャネルＣｈ=２０chの放送が探索される。そして、探索されたプリセット番号ＰＮ=１、周波数チャネルＣｈ=２０chは、サブプリセットテーブルに登録されているので、再度、プリセットテーブルとプリセットテーブルとが入れ替えられる。そして、受信出力する周波数チャネルが、入れ替え後のプリセットテーブルのプリセット番号ＰＮ=１に対して登録されている周波数チャネルＣｈ=２０chに切り替えられる。
【００４９】
一方、中継局Ｃが、図５ｃに示すように、プリセット番号ＰＮが１で周波数チャネルＣｈが３３chの放送と、プリセット番号ＰＮが２で周波数チャネルＣｈが４８chの放送とを送信しているものとする。そして、中継局Ａのプリセット番号ＰＮが１で周波数チャネルＣｈが２０chの放送と、中継局Ｃのプリセット番号ＰＮが１で周波数チャネルＣｈが３３chの放送とは同じ放送局の同じ放送であり、中継局Ａのプリセット番号ＰＮが２で周波数チャネルＣｈが１３chの放送と、中継局Ｃのプリセット番号ＰＮが２で周波数チャネルＣｈが４８chの放送とは同じ放送局の同じ放送であるものとする。
【００５０】
そして、ユーザが中継局Ａから放送されているプリセット番号ＰＮ=２、周波数チャネルＣｈ=１３chの放送を視聴している状態で、図５ａの位置５０１から、図５ｃに示すように、自動車が中継局Ｃに近づく方向に移動し、中継局Ａの送信電波を良好に受信できくなる位置５０４まで到達すると、中継局サーチ処理が実行され、中継局Ｃのプリセット番号ＰＮ=２、周波数チャネルＣｈ=４８chの放送が探索される。そして、探索されたプリセット番号ＰＮ=２、周波数チャネルＣｈ=４８chは、サブプリセットテーブルに登録されていないので、プリセットテーブルのプリセット番号ＰＮ=２に対して登録されている情報のみが周波数チャネルＣｈ=４８chの情報に更新される。そして、受信出力する周波数チャネルが、入れ替え後のプリセットテーブルのプリセット番号ＰＮ=２に対して登録されている周波数チャネルＣｈ=４８chに切り替えられる。
【００５１】
以上、本発明の実施形態について説明した。
以上のように本実施形態によれば、スキャン処理によって、各プリセット番号について最も受信状態の良い周波数チャネルを前記プリセットテーブルに登録し、２番目に受信状態の良い周波数チャネルをサブプリセットテーブルに登録する。そして、プリセットテーブルを用いて、ユーザのプリセット番号の指定に応じた周波数チャネルの切り替えを行う。
【００５２】
そして、あるプリセット番号の周波数チャネルの受信中の受信状態の悪化に応答して、中継局の周波数チャネルの探索と、探索した周波数チャネルに受信する周波数チャネルの切り替えを行うと共に、探索した周波数チャネルがサブセットテーブルに登録されていれば、プリセットテーブルとサブセットテーブルを交替する。
【００５３】
ここで、スキャン処理によって、プリセットテーブルに登録された各周波数チャネルは同じ中継局から放送される周波数チャネルであり、サブプリセットテーブルに登録された各周波数チャネルは他の同じ中継局から放送される周波数チャネルである蓋然性が大きい。
【００５４】
したがって、プリセットテーブルとサブセットテーブルを交替した後に、ユーザがプリセット番号を指定して受信する周波数チャネルを切り替えたときには、受信状態が良好な周波数チャネルとして最後に探索した周波数チャネルと同じ中継局が放送する、最後に探索した周波数チャネルと同様に受信状態が良好であることが期待できる周波数チャネルが既にプリセットテーブルに登録されている蓋然性が大きい。そして、この場合には、新たな中継局サーチが行われることなく、ユーザは、すみやかに指定したプリセット番号の視聴を開始することができるようになる。
【符号の説明】
【００５５】
１…放送受信機、２…ナビゲーション装置、３…制御装置、４…入力装置、５…出力処理部、６…音声出力装置、７…表示装置、１１…アンテナ、１２…フロントエンド部、１３…復調部、１４…ビデオデコーダ、１５…チューナ制御部、１６…メモリ。
【図１】
2015220521.tif 000003
【図２】
2015220521.tif 000004
【図３】
2015220521.tif 000005
【図４】
2015220521.tif 000006
【図５】
2015220521.tif 000007